(57)【特許請求の範囲】
【請求項１】
回転軸を中心に回転可能であって、表面にトナー像を担持する像担持体と、
前記像担持体における所定位置に対向して配置され、一方の極性の電荷を出力して前記像担持体の表面を一方の極性に帯電させる帯電部と、
前記帯電部よりも前記像担持体の回転方向において下流側に配置され、前記像担持体にトナー画像を現像する現像部と、
前記現像部よりも前記像担持体の回転方向において下流側に、被転写材を挟んで前記像担持体に対向して配置され、前記像担持体側に他方の極性の電荷を出力すると共に、前記現像部により現像されたトナー像を被転写部材に転写させる転写部と、
前記転写部よりも前記像担持体の回転方向において下流側であって前記帯電部よりも上流側に配置され、前記像担持体の表面に残った電荷を除去する除電部と、
前記帯電部における一方の極性の電荷の出力及び前記除電部における除電動作を同時にＯＮ／ＯＦＦ制御する第１制御部と、
前記転写部を制御する第２電力制御部であって、
前記帯電部における一方の極性の電荷の出力及び前記除電部における除電動作がＯＦＦにされた場合、前記転写部における他方の極性の電荷の出力を継続すると共に所定時間後にＯＦＦにする第２制御部と、を備える
画像形成装置。
【請求項２】
前記第２制御部は、
前記像担持体における所定領域であって前記帯電部における一方の極性の電荷の出力及び前記除電部における除電動作がＯＦＦになったときに前記帯電部に対向していた所定領域が、前記転写部に対向する位置に移動する前に、前記転写部における他方の極性の電荷の出力をＯＦＦにする
請求項１に記載の画像形成装置。
【請求項３】
前記第２制御部は、
前記第１制御部により前記帯電部における一方の極性の電荷の出力及び前記除電部における除電動作がＯＦＦにされた場合、前記転写部において出力される他の極性の電荷の単位時間当たりの出力量を、前記帯電部における一方の極性の電荷の出力及び前記除電部における除電動作がＯＦＦになる前の出力量よりも小さく変更させる
請求項１又は２に記載の画像形成装置。
【発明の詳細な説明】
【技術分野】
【０００１】
本発明は、画像形成装置に関する。
【背景技術】
【０００２】
従来、電子写真方式を採用する画像形成装置は、感光体ドラム等の像担持体の表面を帯電器により所定の極性に帯電させ、帯電した像担持体の表面に露光装置により露光して静電潜像を形成し、静電潜像を現像器によりトナーで現像してトナー像を形成する。続けて、画像形成装置は、像担持体の表面に形成されたトナー像を転写部で被転写材（用紙、中間転写ベルト）に転写する。そして、画像形成装置は、像担持体に転写されずに残った残留トナーをクリーニング部材により除去し、像担持体に残った電荷を除電器により除電する。画像形成装置は、上記処理を１サイクルとして、これを繰り返す。
【０００３】
このような画像形成装置において、オゾンの発生や、像担持体における放電生成物の発生を抑制するため、帯電器における電荷の出力は、できるだけＯＦＦになっていることが好ましい。
また、画像形成装置において、現像器、転写部を構成する電荷出力部や、除電器等は、所定の機能を発揮するため、それぞれのタイミングでＯＮ／ＯＦＦ等が制御される。
【０００４】
ここで、好適な画像形成を維持するため、帯電器と除電器とのＯＮ／ＯＦＦのタイミングは重要であるところ、除電器（イレースランプ）が、帯電器（帯電手段）における印加のタイミングに合わせてＯＮ／ＯＦＦ制御される画像形成装置が提案されている（例えば、特許文献１参照）。
【先行技術文献】
【特許文献】
【０００５】
【特許文献１】特開２００３−１４０５２６号公報
【発明の概要】
【発明が解決しようとする課題】
【０００６】
ここで、特許文献１の画像形成装置において、帯電器における電荷の出力と、除電器とは、それぞれ別個にＯＮ／ＯＦＦが制御されている。
これに対し、コスト低減等を目的として、制御基板等における各部材への出力ポートをできるだけ少なくすることが望まれている。
例えば、帯電器における電荷の出力及び除電器における除電動作のＯＮ／ＯＦＦ制御を一緒に行うこと（一つの出力ポートで制御する）ことが望まれている。
【０００７】
しかし、帯電器における電荷の出力と除電器における除電動作とが同時にＯＮからＯＦＦに切替制御されると、像担持体において、帯電器により帯電された領域に対して除電処理が行われないことになる。
このため、その後に形成される画像に不具合が生じる場合がある（例えば、かぶりの発生等）。
【０００８】
本発明は、帯電器における電荷の出力と除電器における除電動作とを同時にＯＮ／ＯＦＦ制御すると共に、形成する画像における品質の低下を抑制可能な画像形成装置を提供することを目的とする。
【課題を解決するための手段】
【０００９】
本発明は、回転軸を中心に回転可能であって、表面にトナー像を担持する像担持体と、前記像担持体における所定位置に対向して配置され、一方の極性の電荷を出力して前記像担持体の表面を一方の極性に帯電させる帯電部と、前記帯電部よりも前記像担持体の回転方向において下流側に配置され、前記像担持体にトナー画像を現像する現像部と、前記現像部よりも前記像担持体の回転方向において下流側に、被転写材を挟んで前記像担持体に対向して配置され、前記像担持体側に他方の極性の電荷を出力すると共に、前記現像部により現像されたトナー像を被転写部材に転写させる転写部と、前記転写部よりも前記像担持体の回転方向において下流側であって前記帯電部よりも上流側に配置され、前記像担持体の表面に残った電荷を除去する除電部と、前記帯電部における一方の極性の電荷の出力及び前記除電部における除電動作を同時にＯＮ／ＯＦＦ制御する第１制御部と、前記転写部を制御する第２電力制御部であって、前記帯電部における一方の極性の電荷の出力及び前記除電部における除電動作がＯＦＦにされた場合、前記転写部における他方の極性の電荷の出力を継続すると共に所定時間後にＯＦＦにする第２制御部と、を備える画像形成装置に関する。
【発明の効果】
【００１０】
本発明によれば、帯電器における電荷の出力と除電器における除電動作とを同時にＯＮ／ＯＦＦ制御すると共に、形成する画像における品質の低下を抑制可能な画像形成装置を提供することができる。
【図面の簡単な説明】
【００１１】
【図１】第１実施形態におけるプリンター１の各構成要素の配置を説明するための図である。
【図２】感光体ドラム２の周辺部を拡大して示す断面図である。
【図３】第１実施形態におけるプリンター１の制御系を説明するブロック図である。
【図４】第１実施形態におけるプリンター１の作用を説明するフロー図である。
【図５】第２実施形態におけるプリンター１Ａの制御系を説明するブロック図である。
【図６】第２実施形態におけるプリンター１Ａの作用を説明するフロー図である。
【図７】第３実施形態におけるプリンター１Ｂの制御系を説明するブロック図である。
【図８】第３実施形態におけるプリンター１Ｂの作用を説明するフロー図である。
【発明を実施するための形態】
【００１２】
以下、本発明の実施形態について説明する。
図１により、本発明の第１実施形態における画像形成装置としてのプリンター１における全体構造を説明する。図１は、第１実施形態におけるプリンター１の各構成要素の配置を説明するための図である。
【００１３】
図１に示すように、画像形成装置としてのプリンター１は、装置本体Ｍと、所定の画像情報に基づいてシート状の被転写材としての用紙Ｔに所定のトナー画像を形成する画像形成部ＧＫと、用紙Ｔを画像形成部ＧＫに給紙すると共にトナー画像が形成された用紙Ｔを排紙する給排紙部ＫＨとを有する。
【００１４】
図１に示すように、画像形成部ＧＫは、像担持体（感光体）としての感光体ドラム２と、帯電部１０と、露光ユニットとしてのレーザースキャナーユニット４と、現像部１６と、トナーカートリッジ５と、トナー供給部６と、ドラムクリーニング部１１と、除電部１２と、転写部を構成する転写ローラー８と、定着部９とを備える。
【００１５】
図１に示すように、給排紙部ＫＨは、給紙カセット５２と、手差し給紙部６４と、用紙Ｔの搬送路Ｌと、レジストローラー対８０と、排紙部５０とを備える。
【００１６】
以下、画像形成部ＧＫ及び給排紙部ＫＨの各構成について詳細に説明する。
まず、画像形成部ＧＫについて説明する。
画像形成部ＧＫにおいては、感光体ドラム２の表面に対して、上流側から下流側に順に、帯電部１０による帯電、レーザースキャナーユニット４による露光、現像部１６による現像、転写ローラー８による転写、ドラムクリーニング部１１によるクリーニング、除電部１２による除電、及び定着部９による定着が行われる。
【００１７】
感光体ドラム２は、円筒形状の部材からなり、感光体又は像担持体として機能する。感光体ドラム２は、搬送路Ｌにおける用紙Ｔの搬送方向に対して直交する方向に延びる機軸となる回転軸Ｊ１を中心に、矢印の方向に駆動回転可能に配置される。感光体ドラム２の表面には、静電潜像が形成される。
【００１８】
帯電部１０は、感光体ドラム２の表面に対向して配置される。帯電部１０は、感光体ドラム２の表面を一様に負（マイナス極性）又は正（プラス極性）に帯電させる。帯電部１０は、例えば、本実施形態において、感光体ドラム２の表面を一様に正（プラス極性）側の極性に帯電させる。
【００１９】
レーザースキャナーユニット４は、露光ユニットとして機能するものであり、感光体ドラム２の表面から離間して配置される。レーザースキャナーユニット４は、不図示のレーザー光源、ポリゴンミラー、ポリゴンミラー用モーター等を有して構成される。
【００２０】
レーザースキャナーユニット４は、ＰＣ（パーソナルコンピューター）等の外部機器から出力された画像情報に基づいて、感光体ドラム２の表面を走査露光する。レーザースキャナーユニット４により走査露光されることで、感光体ドラム２の表面に帯電した電荷が除去される。これにより、感光体ドラム２の表面に静電潜像が形成される。
【００２１】
現像部１６（現像ローラー１７）は、帯電部１０よりも感光体ドラム２の回転方向の下流側において、感光体ドラム２の表面に対向して配置される。現像部１６は、感光体ドラム２に形成された静電潜像に単色（通常はブラック）のトナーを付着させて、単色のトナー画像を現像する（感光体ドラムの表面にトナー画像を形成する）。現像部１６は、感光体ドラム２の表面に対向配置可能な現像ローラー１７、トナー攪拌用の攪拌ローラー１８等を有して構成される。
【００２２】
トナーカートリッジ５は、現像部１６に対応して設けられており、現像部１６に対して供給されるトナーを収容する。
【００２３】
トナー供給部６は、トナーカートリッジ５及び現像部１６に対応して設けられており、トナーカートリッジ５に収容されたトナーを現像部１６に対して供給する。
【００２４】
転写ローラー８（転写部）は、現像部１６（現像ローラー１７）よりも感光体ドラム２の回転方向において下流側に、用紙Ｔを挟んで感光体ドラムに対向して配置される。
転写ローラー８は、感光体ドラム２の表面に現像されたトナー画像を用紙Ｔに転写させる。
転写ローラー８には、感光体ドラム２に現像されたトナー画像を用紙Ｔに転写させるための転写バイアスが印加される。転写ローラー８は、感光体ドラム２側に、帯電部１０により帯電された極性と逆の極性の電荷を出力する。
【００２５】
転写ローラー８は、感光体ドラム２に対して接離される。具体的には、転写ローラー８は、感光体ドラム２に当接される当接位置と、感光体ドラム２から離間する離間位置とに移動可能に構成される。詳細には、転写ローラー８は、感光体ドラム２に現像されたトナー画像を用紙Ｔに転写させる場合には当接位置に移動され、他の場合には離間位置に移動される。
【００２６】
感光体ドラム２と転写ローラー８との間で、搬送路Ｌを搬送される用紙Ｔが挟み込まれる。挟み込まれた用紙Ｔは、感光体ドラム２の表面に押し当てられる。感光体ドラム２と転写ローラー８との間に、転写ニップＮが形成される。転写ニップＮにおいて、感光体ドラム２に現像されたトナー画像が用紙Ｔに転写される。
【００２７】
除電部１２は、転写ローラー８よりも感光体ドラム２の回転方向において下流側であって帯電部１０よりも上流側に配置される。除電部１２は、感光体ドラム２の表面に光を照射することにより、転写が行われた後に感光体ドラム２の表面に残った負（マイナス極性）又は正（プラス極性）の電荷を除去する。
【００２８】
ドラムクリーニング部１１は、感光体ドラム２の表面に対向して配置される。ドラムクリーニング部１１は、感光体ドラム２の表面に残存したトナーや付着物を除去すると共に、除去されたトナーを回収スパイラル１１ｓを介して所定の回収機構へ搬送させて、回収させる。
【００２９】
定着部９は、用紙Ｔに転写されたトナー画像を構成するトナーを溶融して用紙Ｔに定着させる。定着部９は、ヒーターにより加熱される加熱ローラー９ａと、加熱ローラー９ａに圧接される加圧ローラー９ｂと、を備える。加熱ローラー９ａと加圧ローラー９ｂとは、トナー画像が転写された用紙Ｔを挟持するようにして搬送する。加熱ローラー９ａと加圧ローラー９ｂとの間に挟持されるように用紙Ｔが搬送されることで、用紙Ｔに転写されたトナーは、溶融し、用紙Ｔに定着される。
【００３０】
次に、給排紙部ＫＨについて説明する。
図１に示すように、装置本体Ｍの下部には、用紙Ｔを収容する１個の給紙カセット５２が配置される。給紙カセット５２は、装置本体Ｍから水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラー対６３からなる重送防止機構を備える。
【００３１】
装置本体Ｍの左側面（図１において左側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。手差し給紙部６４は、開状態の手差しトレイ６５に載置された用紙Ｔを手差し搬送路Ｌａに給紙する。
【００３２】
装置本体Ｍにおける上方側には、排紙部５０が設けられる。排紙部５０は、用紙Ｔを装置本体Ｍの外部に排紙する。排紙部５０の詳細については後述する。
【００３３】
用紙Ｔを搬送する搬送路Ｌは、カセット給紙部５１から転写ローラー８までの第１搬送路Ｌ１と、転写ローラー８から定着部９までの第２搬送路Ｌ２と、定着部９から排紙部５０までの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂとを備える。
【００３４】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、戻り搬送路Ｌｂが第３搬送路Ｌ３から分岐する分岐部である。
【００３５】
第１搬送路Ｌ１の途中（詳細には、第２合流部Ｐ２と転写ローラー８との間）には、用紙Ｔを検出するためのセンサーと、用紙Ｔのスキュー（斜め給紙）補正やトナー画像とのタイミングを合わせるためのレジストローラー対８０が配置される。センサーは、用紙Ｔの搬送方向におけるレジストローラー対８０の直前（上流側）に配置される。レジストローラー対８０は、センサーからの検出情報に基づいて上述の補正やタイミング調整をして用紙Ｔを搬送する。
【００３６】
戻し搬送路Ｌｂは、用紙Ｔの両面印刷を行う際に、既に印刷されている面とは反対面（非印刷面）を感光体ドラム２に対向させるために設けられる搬送路である。戻し搬送路Ｌｂによれば、第１分岐部Ｑ１から排紙部５０側に搬送された用紙Ｔを表裏反転させて第１搬送路Ｌ１に戻して、転写ローラー８の上流側に配置されたレジストローラー対８０の上流側に搬送させることができる。戻し搬送路Ｌｂにより表裏反転された用紙Ｔには、感光体ドラム２により非印刷面に対して所定のトナー画像が転写される。
【００３７】
第３搬送路Ｌ３における端部には、排紙部５０が形成される。排紙部５０は、装置本体Ｍにおける上方側に配置される。排紙部５０は、装置本体Ｍの右側面側（図１において右側、手差し給紙部６４とは反対側）に向けて開口している。排紙部５０は、搬送路Ｌ３を搬送される用紙Ｔを装置本体Ｍの外部に排紙する。
【００３８】
排紙部５０における開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が転写され排紙部５０から排紙された用紙Ｔが積層して集積される。
なお、各搬送路の所定位置には用紙検出用のセンサーが配置される。
【００３９】
次に、図２及び図３により、プリンター１における感光体ドラム２の周辺部の構成、及び、感光体ドラム２の周辺部を中心とする制御系について説明する。
図２は、感光体ドラム２の周辺部を拡大して示す断面図である。図３は、第１実施形態におけるプリンター１の制御系を説明するブロック図である。
【００４０】
図２に示すように、感光体ドラム２の周辺部には、感光体ドラム２の回転方向（矢印方向）において、上流側から順に、帯電部１０と、現像ローラー１７（現像部１６）と、転写ローラー８（転写部）と、ドラムクリーニング部１１と、除電部１２と、が感光体ドラム２の表面に対向して配置される。また、感光体ドラム２の帯電電流を測定する電流センサー７０（測定部）も感光体ドラム２に当接又は近接して配置される。
【００４１】
帯電部１０は、感光体ドラム２の表面に摺接して回転する帯電ローラー１０１を有する。
帯電ローラー１０１は、本実施形態において、感光体ドラム２の表面を一様に正（プラス極性）に帯電させる。帯電ローラー１０１は、正（プラス極性）の電荷を出力する帯電用電源ユニット１１０に接続される。
【００４２】
現像部１６の現像ローラー１７は、交流の現像バイアス電圧を印加する現像用電源ユニット１２０に接続される。
【００４３】
転写ニップＮを形成する転写ローラー８は、感光体ドラム２の表面側に負（マイナス極性）の電荷を出力して感光体ドラム２の表面に現像されたトナー画像を用紙Ｔに転写させるための転写バイアス電圧を印加する転写用電源ユニット１３０に接続される。
【００４４】
除電部１２は、感光体ドラム２の表面に光を照射する除電ランプ（イレーズランプ)１０２を有する。
除電ランプ１０２は、除電ランプ１０２を発光させる除電ランプ用電源ユニット１４０に接続される。
【００４５】
感光体ドラム２には、モーター２Ｍが連結される。モーター２Ｍは、感光体ドラム２を回転軸Ｊを中心に矢印の方向に回転させる。
モーター２Ｍは、モーター用電源ユニット１４５に接続される。
【００４６】
図３に示すように、プリンター１は、タイマー１００と、帯電用電源ユニット１１０と、除電ランプ用電源ユニット１４０と、現像用電源ユニット１２０と、転写用電源ユニット１３０と、モーター用電源ユニット１４５と、制御部１５０と、を含む。
ここで、本実施形態及び他の実施形態において、帯電用電源ユニット１１０は、帯電部を構成する。また、除電ランプ用電源ユニット１４０は、除電部を構成する。また、転写用電源ユニット１３０は、転写部を構成する。
【００４７】
タイマー１００は、計時機能を有する。タイマー１００は、転写制御部１５３に時間情報を出力可能に構成される。
【００４８】
帯電用電源ユニット１１０は、帯電部１０（帯電ローラー１０１）に一方の極性（プラス極）の電荷を出力させる。帯電用電源ユニット１１０は、帯電／除電制御部１５１により、除電部１２と同時にＯＮ／ＯＦＦ制御される。
【００４９】
除電ランプ用電源ユニット１４０は、除電部１２に除電動作を行わせる。具体的には、除電ランプ用電源ユニット１４０は、除電部１２を構成する除電ランプ１０２を発光させる。除電ランプ用電源ユニット１４０は、帯電／除電制御部１５１により、帯電部１０と同時にＯＮ／ＯＦＦ制御される。
【００５０】
現像用電源ユニット１２０は、現像ローラー１７に交流の現像バイアス電圧の印加動作を行わせる。具体的には、現像用電源ユニット１２０は、交流の現像バイアス電圧を出力する。現像用電源ユニット１２０は、現像制御部１５２により、ＯＮ／ＯＦＦ制御される。
【００５１】
転写用電源ユニット１３０は、転写ローラー８に他方の極性（マイナス極性）の電荷の出力をさせる。転写用電源ユニット１３０は、転写制御部１５３により、ＯＮ／ＯＦＦ制御される。
【００５２】
モーター用電源ユニット１４５は、モーター２Ｍを回転駆動させる。モーター用電源ユニット１４５は、モーター制御部１５４により、ＯＮ／ＯＦＦ制御される。
【００５３】
制御部１５０は、帯電／除電制御部１５１（第１制御部）と、現像制御部１５２と、転写制御部１５３（第２制御部）と、モーター制御部１５４と、を含む。
また、制御部１５０は、画像形成部Ｇを構成する各要素を制御する各種機能部（不図示）を含む。
【００５４】
帯電／除電制御部１５１は、帯電部１０における一方の極性の電荷の出力及び除電部１２における除電動作を同時にＯＮ／ＯＦＦ制御する。具体的には、帯電／除電制御部１５１は、帯電用電源ユニット１１０及び除電ランプ用電源ユニット１４０を同時にＯＮ／ＯＦＦ制御する。
帯電／除電制御部１５１は、一の出力ポート１５１ａから帯電用電源ユニット１１０及び除電ランプ用電源ユニット１４０に対し、ＯＮ／ＯＦＦ制御信号を出力する。
また、帯電／除電制御部１５１は、帯電用電源ユニット１１０及び除電ランプ用電源ユニット１４０に対しＯＦＦ制御信号を出力すると、転写制御部１５３にその旨を通知する。
【００５５】
現像制御部１５２は、現像ローラー１７における交流の現像バイアス電圧の印加動作を制御する。
具体的には、現像制御部１５２は、現像用電源ユニット１２０をＯＮ／ＯＦＦ制御する。
現像制御部１５２は、出力ポート１５２ａから現像用電源ユニット１２０に対し、ＯＮ／ＯＦＦ制御信号を出力する。
【００５６】
転写制御部１５３は、転写ローラー８における他方の極性（マイナス極性）の電荷の出力をＯＮ／ＯＦＦ制御する。
具体的には、転写制御部１５３は、帯電部１０における一方の極性（プラス極性）の電荷の出力及び除電部１２における除電動作がＯＦＦにされた場合、転写ローラー８における他方の極性（マイナス極性）の電荷の出力を継続すると共に、所定時間後にＯＦＦにする。
転写制御部１５３は、転写用電源ユニット１３０をＯＮ／ＯＦＦ制御する。
詳細には、転写制御部１５３は、出力ポート１５３ａから転写用電源ユニット１３０に対し、帯電／除電制御部１５１より上述の通知を受けてから所定時間後、ＯＦＦ制御信号を出力する。
【００５７】
ここで、所定時間は、帯電／除電制御部１５１が帯電用電源ユニット１１０及び除電ランプ用電源ユニット１４０に対してＯＦＦ制御信号を出力したときに、帯電部１０に対向していた感光体ドラム２表面の所定領域が、転写ローラー８に対向する位置に移動するまでに要する時間以下の時間である。例えば、所定時間は、前記所定領域が転写ローラーに対向する位置の直前に位置するまでの時間である。
所定時間は、例えば、感光体ドラム２の周速と、感光体ドラム２における帯電部１０に対向する位置から転写ニップＮ（直前）に対向する位置までの領域の長さ（周長)とに基づいて算出される。
所定時間は、本実施形態において、転写制御部１５３において予め設定されている。
【００５８】
モーター制御部１５４は、モーター２Ｍを制御する。具体的には、モーター制御部１５４は、モーター用電源ユニット１４５をＯＮ／ＯＦＦ制御する。
モーター制御部１５４は、出力ポート１５４ａからモーター２Ｍに対し、ＯＮ／ＯＦＦ制御信号を出力する。
【００５９】
ここで、制御部１５０は、制御プログラムを有する。制御部１５０は、所定の制御プログラムに基づいて、動作指示（画像形成指示）信号を受けて、帯電／除電制御部１５１、現像制御部１５２、転写制御部１５３、及びモーター制御部１５４を所定の手順で動作させる。制御部１５０は、各機能制御部を介して、帯電部１０、除電部１２、現像部１６、転写ローラー８及び感光体ドラム２の動作を制御する。
また、制御部１５０は、所定の制御プログラムに基づいて、所定の機能制御部を動作させることで、画像形成部ＧＫの画像形成動作を制御する。
【００６０】
次に、図４により、第１実施形態におけるプリンター１の作用について説明する。具体的には、帯電部１０、現像部１６、転写ローラー８、除電部１２及び感光体ドラム２のモーター２Ｍ及び、これらを制御する制御部１５０の動作について説明する。
図４は、第１実施形態におけるプリンター１の作用を説明するフロー図である。
【００６１】
まず、ステップＳＴ１１において、プリンター１（制御部１５０）は、不図示の通信部を介して、画像情報を含む画像形成指示を受け付ける。これにより、プリンター１（制御部１５０、画像形成部ＧＫ）は、所定の動作を開始する。
【００６２】
続けて、ステップＳＴ１２において、制御部１５０は、制御プログラムに基づいて、各機能制御部を動作させる。具体的には、帯電／除電制御部１５１は、出力ポート１５１ａを介して、帯電用電源ユニット１１０及び除電ランプ用電源ユニット１４０に対して、ＯＮ制御信号を出力する。また、現像制御部１５２は、出力ポート１５２ａを介して、現像用電源ユニット１２０に対して、ＯＮ制御信号を出力する。転写制御部１５３は、出力ポート１５３ａを介して、転写用電源ユニット１３０に対して、ＯＮ制御信号を出力する。モーター制御部１５４は、出力ポート１５４ａを介して、モーター用電源ユニット１４５に対して、ＯＮ制御信号を出力する。
これにより、帯電用電源ユニット１１０、除電ランプ用電源ユニット１４０、現像用電源ユニット１２０及びモーター用電源ユニット１４５は、ＯＮ状態になる。
【００６３】
続けて、ステップＳＴ１３において、制御部１５０は、画像形成部ＧＫに、画像形成動作を行わせる。具体的には、制御部１５０は、各種機能部を動作させることで、画像形成部Ｇに、画像形成動作を行わせる。制御部１５０は、各機能制御部を所定順で動作させることで、画像形成部ＧＫに、画像情報に基づく画像を形成させる。
画像形成部ＧＫは、制御部１５０に含まれる各機能部からの指示に基づいて、帯電部１０による帯電、レーザースキャナーユニット４による露光、現像部１６による現像、転写ローラー８による転写、ドラムクリーニング部１１によるクリーニング、除電部１２による除電、及び定着部９による定着を１サイクルとする画像形成の処理動作を行う。
【００６４】
続けて、ステップＳＴ１４において、制御部１５０は、一の画像形成指示に基づく画像形成動作が終了した場合、更に他の画像形成指示があるか確認する。
制御部１５０は、更なる他の画像形成指示がある場合（ＳＴ１４、ＹＥＳ）、処理をステップＳＴ１３の前に戻し、画像形成部Ｇに、他の画像形成指示に基づく画像形成動作を行わせる。
制御部１５０は、更なる他の画像形成指示がない場合（ＳＴ１４、ＮＯ）、処理をステップＳＴ１５に進める。
【００６５】
続けて、ステップＳＴ１５において、制御部１５０（帯電／除電制御部１５１）は、帯電用電源ユニット１１０及び除電ランプ用電源ユニット１４０に対して、ＯＦＦ制御信号を出力する。
これにより、帯電用電源ユニット１１０及び除電ランプ用電源ユニット１４０は、同時にＯＦＦ状態になる。
ここで、帯電用電源ユニット１１０及び除電ランプ用電源ユニット１４０が同時にＯＦＦ状態になった時点で、感光体ドラム２における帯電部１０に対向する位置から転写ローラー８に対向する位置までの領域は、帯電部１０により帯電された状態である。
【００６６】
また、帯電／除電制御部１５１は、帯電用電源ユニット１１０及び除電ランプ用電源ユニット１４０に対してＯＦＦ制御信号を出力すると、転写制御部１５３にその旨を通知する。
【００６７】
また、制御部１５０（現像制御部１５２）は、現像用電源ユニット１２０にＯＦＦ制御信号を出力する。
【００６８】
続けて、ステップＳＴ１６において、制御部１５０（転写制御部１５３）は、帯電用電源ユニット１１０及び除電ランプ用電源ユニット１４０がＯＦＦ状態になってから所定時間が経過したか否かを判断する。
具体的には、転写制御部１５３は、タイマー１００からの時間情報に基づいて、帯電／除電制御部１５１から通知を受けてから所定時間が経過したか否かを判断する。
ここで、所定時間は、帯電／除電制御部１５１が帯電用電源ユニット１１０及び除電ランプ用電源ユニット１４０に対してＯＦＦ制御信号を出力したときに、帯電部１０に対向していた感光体ドラム２表面の所定領域が、転写ローラー８に対向する位置の直前の位置に移動するまでに要する時間に設定される。
【００６９】
制御部１５０（転写制御部１５３）は、所定時間が経過していないと判断した場合（ステップＳＴ１６、ＮＯ）、処理をステップＳＴ１６の前に戻し、引き続きタイマーからの時間情報に基づく判断を行う。
【００７０】
制御部１５０（転写制御部１５３）は、所定時間が経過したと判断した場合（ステップＳＴ１６、ＹＥＳ）、処理をステップＳＴ１７に進める。
【００７１】
続けて、ステップＳＴ１７において、制御部１５０（転写制御部１５３）は、転写用電源ユニット１３０に対して、ＯＦＦ制御信号を出力する。これにより、転写用電源ユニット１３０は、ＯＦＦ状態になる。
【００７２】
これにより、プリンター１は、帯電用電源ユニット１１０及び除電ランプ用電源ユニット１４０が同時にＯＦＦ制御された後、転写用電源ユニット１３０がＯＮの状態を所定時間継続することで、転写バイアスを利用して、上記帯電した領域に対する除電処理を行う。
また、これにより、プリンター１は、用紙Ｔに形成する画像にかぶり等の不具合が生じることを抑制することができる。
【００７３】
また、制御部１５０（モーター制御部１５４）は、モーター用電源ユニット１４５にＯＦＦ制御信号を出力する。
そして、プリンター１（制御部１５０）は、受け付けた画像形成指示に基づく動作を終了する。
【００７４】
第１実施形態のプリンター１によれば、以下のような効果が奏される。
プリンター１は、帯電用電源ユニット１１０及び除電ランプ用電源ユニット１４０を同時にＯＮ／ＯＦＦ制御する帯電／除電制御部１５１を備える。
これにより、プリンター１は、制御部１５０における出力ポート数を少なくすることができる。また、これにより、プリンター１は、基板コスト等の部品コストを削減可能に構成される。
【００７５】
また、プリンター１は、帯電用電源ユニット１１０及び除電ランプ用電源ユニット１４０を同時にＯＦＦ制御された場合、転写用電源ユニット１３０のＯＮ状態を継続すると共に所定時間後にＯＦＦ状態にさせる転写制御部１５３を備える。
これにより、プリンター１は、用紙Ｔに形成される画像に、かぶり等の不具合が生じることを抑制することができる。具体的には、以下の通りである。
まず、帯電用電源ユニット１１０及び除電ランプ用電源ユニット１４０が同時にＯＦＦ状態になった時点で、感光体ドラム２における帯電部１０に対向する位置から転写ローラー８に対向する位置までの領域は、帯電部１０により帯電された状態である。
これに対し、プリンター１は、帯電用電源ユニット１１０及び除電ランプ用電源ユニット１４０が同時にＯＦＦ制御された後、転写用電源ユニット１３０がＯＮの状態を所定時間継続することで、転写バイアスを利用して、上記帯電した領域に対する除電処理を行う。
これにより、プリンター１は、用紙Ｔに形成する画像にかぶり等の不具合が生じることを抑制することができる。
【００７６】
また、本実施形態において、所定時間は、帯電／除電制御部１５１が帯電用電源ユニット１１０及び除電ランプ用電源ユニット１４０に対してＯＦＦ制御信号を出力したときに、帯電部１０に対向していた感光体ドラム２表面の所定領域が、転写ローラー８に対向する位置に移動するまでに要する時間以下の時間である。例えば、所定時間は、前記所定領域が転写ローラーに対向する位置の直前に位置するまでの時間である。
つまり、プリンター１は、放置すれば除電がなされない領域を転写ローラー８における転写バイアスを利用して好適に除電できる。
【００７７】
また、プリンター１は、感光体ドラム２の表面における帯電部１０に対向していた所定領域が、転写ローラー８に対向する位置に移動する前（転写ローラー８に対向する位置をこえる前）に転写用電源ユニット１３０をＯＦＦ制御することにより、感光体ドラム２の表面に帯電部１０による帯電とは逆極性の電荷が付加される、いわゆる逆帯電が発生することを抑制する。これにより、プリンター１は、画像品質の安定性を維持する。
【００７８】
続けて、本発明の第２実施形態について説明する。第２実施形態については、主として、第１実施形態と異なる点を中心に説明し、第１実施形態と同様な構成については、同じ符号を付し、詳細な説明を省略する。また、第２実施形態において、特に説明しない点は、第１実施形態についての説明が適宜適用される。更に、第２実施形態においても、第１実施形態と同様な効果が奏される。
【００７９】
第２実施形態におけるプリンター１Ａ（制御部１５０Ａ）は、帯電／除電制御部１５１により帯電部１０（帯電ローラー１０１）における一方の極性の電荷の出力及び除電部１２（除電ランプ１０２）における除電動作がＯＦＦにされた場合、転写ローラー８において出力される他の極性の電荷の単位時間当たりの出力量を、帯電部１０における一方の極性の電荷の出力及び除電部１２における除電動作がＯＦＦになる前の出力量よりも小さく変更させる点で、第１実施形態におけるプリンター１と相違する。
【００８０】
図５及び図６により、第２実施形態におけるプリンター１Ａについて説明する。
図５は、第２実施形態におけるプリンター１Ａの制御系を説明するブロック図である。図６は、第２実施形態におけるプリンター１Ａの作用を説明するフロー図である。
【００８１】
図５に示すように、プリンター１Ａは、転写バイアス変更部１３１を備える。
転写バイアス変更部１３１は、転写用電源ユニット１３０に接続され、転写バイアス電圧を変更する。
転写バイアス変更部１３１は、転写用電源ユニット１３０が感光体ドラム２の表面側に出力される負（マイナス極性）の電荷の単位時間当たりの出力量、つまり、転写バイアス電圧を変更する。
【００８２】
転写バイアス変更部１３１は、転写制御部１５３から出力ポート１５３ｂを介して変更バイアス電圧値ＶＢの情報を含む制御信号を受信する。転写バイアス変更部１３１は、受信した変更バイアス電圧値ＶＢの情報に基づいて、転写バイアスを変更バイアス電圧値ＶＢに変更する。
【００８３】
ここで、通常動作時における転写バイアスは、帯電部１０により帯電された領域に対する除電処理するには大きい場合が多い。そのため、通常、変更バイアス電圧値ＶＢは、通常動作時における転写バイアス電圧値ＶＡよりも小さい電圧値となる。
上述より、転写バイアス変更部１３１は、転写バイアスの電圧値を、転写時における転写バイアス電圧値ＶＡよりも小さい電圧値である変更バイアス電圧値ＶＢに変更する。
【００８４】
また、プリンター１Ａは、出力値記憶部２１０を備える。
出力値記憶部２１０は、転写バイアス変更部１３１において、帯電用電源ユニット１１０及び除電ランプ用電源ユニット１４０がＯＦＦ状態になったときに変更する変更バイアス電圧値ＶＢを記憶する。
変更バイアス電圧値ＶＢは、上述の通り、転写時に設定される転写バイアス電圧値ＶＡよりも小さい電圧値である。
変更バイアス電圧値ＶＢは、帯電部１０により帯電された領域に対して転写ローラー８により除電処理がされた場合、逆帯電が生じない（又は抑制できる）電圧値である。
出力値記憶部２１０は、転写制御部１５３に変更バイアス電圧値ＶＢの情報を出力する。
【００８５】
転写制御部１５３は、第１実施形態における動作のほか、転写バイアス変更部１３１を制御する。また、本実施形態において、転写制御部１５３は、転写時における転写バイアスの電圧値である転写バイアス電圧値ＶＡの情報を有する。
【００８６】
転写制御部１５３は、帯電／除電制御部１５１から上述の通知を受けると、出力ポート１５３ｂから転写バイアス変更部１３１に対し、変更バイアス電圧値ＶＢの情報を含む制御信号を出力する。
そして、転写制御部１５３は、帯電／除電制御部１５１から上述の通知を受けてから所定時間後、出力ポート１５３ａから転写用電源ユニット１３０に対し、ＯＦＦ制御信号を出力する。
【００８７】
転写制御部１５３は、帯電／除電制御部１５１により帯電部１０（帯電ローラー１０１）における一方の極性の電荷の出力及び除電部１２（除電ランプ１０２）における除電動作がＯＦＦにされた場合、転写ローラー８において出力される他の極性の電荷の単位時間当たりの出力量を、帯電部１０における一方の極性の電荷の出力及び除電部１２における除電動作がＯＦＦになる前の出力量よりも小さく変更させる。
【００８８】
続けて、図６により、第２実施形態におけるプリンター１Ａの作用について説明する。具体的には、帯電部１０、現像部１６、転写ローラー８、除電部１２及び感光体ドラム２のモーター２Ｍ及び、これらを制御する制御部１５０Ａの動作について説明する。
【００８９】
まず、ステップＳＴ２１において、プリンター１Ａ（制御部１５０Ａ）は、不図示の通信部を介して、画像情報を含む画像形成指示を受け付ける。これにより、プリンター１Ａ（制御部１５０Ａ、画像形成部ＧＫ）は、所定の動作を開始する。
【００９０】
続けて、ステップＳＴ２２において、制御部１５０Ａは、制御プログラムに基づいて、各機能制御部を動作させる。具体的には、帯電／除電制御部１５１は、出力ポート１５１ａを介して、帯電用電源ユニット１１０及び除電ランプ用電源ユニット１４０に対して、ＯＮ制御信号を出力する。また、現像制御部１５２は、出力ポート１５２ａを介して、現像用電源ユニット１２０に対して、ＯＮ制御信号を出力する。転写制御部１５３は、出力ポート１５３ａを介して、転写用電源ユニット１３０に対して、ＯＮ制御信号を出力する。モーター制御部１５４は、出力ポート１５４ａを介して、モーター用電源ユニット１４５に対して、ＯＮ制御信号を出力する。
これにより、帯電用電源ユニット１１０、除電ランプ用電源ユニット１４０、現像用電源ユニット１２０及びモーター用電源ユニット１４５は、ＯＮ状態になる。
また、転写制御部１５３は、出力ポート１５３ｂを介して、転写バイアス変更部１３１に対して、バイアス電圧値ＶＡの情報を含む制御信号を出力する。これにより、転写ローラー８における転写時の転写バイアスの電圧値は、転写バイアス電圧値ＶＡに設定される。
【００９１】
続けて、ステップＳＴ２３において、制御部１５０Ａは、画像形成部ＧＫに、画像形成動作を行わせる。具体的には、制御部１５０Ａは、各種機能部を動作させることで、画像形成部Ｇに、画像形成動作を行わせる。制御部１５０Ａは、各機能制御部を所定順で動作させることで、画像形成部ＧＫに、画像情報に基づく画像を形成させる。
画像形成部ＧＫは、制御部１５０Ａに含まれる各機能部からの指示に基づいて、帯電部１０による帯電、レーザースキャナーユニット４による露光、現像部１６による現像、転写ローラー８による転写、ドラムクリーニング部１１によるクリーニング、除電部１２による除電、及び定着部９による定着を１サイクルとする画像形成の処理動作を行う。
【００９２】
続けて、ステップＳＴ２４において、制御部１５０Ａは、一の画像形成指示に基づく画像形成動作が終了した場合、更に他の画像形成指示があるか確認する。
制御部１５０Ａは、更なる他の画像形成指示がある場合（ＳＴ２４、ＹＥＳ）、処理をステップＳＴ２３の前に戻し、画像形成部Ｇに、他の画像形成指示に基づく画像形成動作を行わせる。
制御部１５０Ａは、更なる他の画像形成指示がない場合（ＳＴ２４、ＮＯ）、処理をステップＳＴ２５に進める。
【００９３】
続けて、ステップＳＴ２５において、制御部１５０Ａ（帯電／除電制御部１５１）は、帯電用電源ユニット１１０及び除電ランプ用電源ユニット１４０に対して、ＯＦＦ制御信号を出力する。
これにより、帯電用電源ユニット１１０及び除電ランプ用電源ユニット１４０は、同時にＯＦＦ状態になる。
ここで、帯電用電源ユニット１１０及び除電ランプ用電源ユニット１４０が同時にＯＦＦ状態になった時点で、感光体ドラム２における帯電部１０に対向する位置から転写ローラー８に対向する位置までの領域は、帯電部１０により帯電された状態である。
【００９４】
また、帯電／除電制御部１５１は、帯電用電源ユニット１１０及び除電ランプ用電源ユニット１４０に対してＯＦＦ制御信号を出力すると、転写制御部１５３にその旨を通知する。
【００９５】
また、制御部１５０Ａ（現像制御部１５２）は、現像用電源ユニット１２０にＯＦＦ制御信号を出力する。
【００９６】
続けて、ステップＳＴ２６において、制御部１５０Ａ（転写制御部１５３）は、転写バイアス変更部１３１に、転写バイアス電圧を変更させる。
転写制御部１５３は、帯電／除電制御部１５１から上述の通知を受けると、出力ポート１５３ｂから転写バイアス変更部１３１に対し、変更バイアス電圧値ＶＢの情報を含む制御信号を出力する。
これにより、転写制御部１５３は、転写ローラー８における転写バイアス電圧値を、転写時の転写バイアス電圧値ＶＡから変更バイアス電圧値ＶＢに変更させる。
転写ローラー８における転写バイアスの電圧値が、転写バイアス電圧値ＶＡよりも小さい変更バイアス電圧値ＶＢに変更されるので、帯電部１０により帯電された領域に対して転写ローラー８により除電処理がされた領域において、逆帯電が生じない（又は抑制される）。
【００９７】
続けて、ステップＳＴ２７において、制御部１５０Ａ（転写制御部１５３）は、帯電用電源ユニット１１０及び除電ランプ用電源ユニット１４０がＯＦＦ状態になってから所定時間が経過したか否かを判断する。
具体的には、転写制御部１５３は、タイマー１００からの時間情報に基づいて、帯電／除電制御部１５１から通知を受けてから所定時間が経過したか否かを判断する。
ここで、所定時間は、帯電／除電制御部１５１が帯電用電源ユニット１１０及び除電ランプ用電源ユニット１４０に対してＯＦＦ制御信号を出力したときに、帯電部１０に対向していた感光体ドラム２表面の所定領域が、転写ローラー８に対向する位置の直前の位置に移動するまでに要する時間に設定される。
【００９８】
制御部１５０Ａ（転写制御部１５３）は、所定時間が経過していないと判断した場合（ステップＳＴ２７、ＮＯ）、処理をステップＳＴ２７の前に戻し、引き続きタイマーからの時間情報に基づく判断を行う。
【００９９】
制御部１５０Ａ（転写制御部１５３）は、所定時間が経過したと判断した場合（ステップＳＴ２７、ＹＥＳ）、処理をステップＳＴ２８に進める。
【０１００】
続けて、ステップＳＴ２８において、制御部１５０Ａ（転写制御部１５３）は、転写用電源ユニット１３０に対して、ＯＦＦ制御信号を出力する。これにより、転写用電源ユニット１３０は、ＯＦＦ状態になる。
【０１０１】
これにより、プリンター１Ａは、帯電用電源ユニット１１０及び除電ランプ用電源ユニット１４０が同時にＯＦＦ制御された後、転写バイアス変更部１３１に転写バイアス電圧値を小さくさせると共に、転写用電源ユニット１３０がＯＮの状態を所定時間継続することで、転写バイアスを利用して、上記帯電した領域に対する除電処理を好適に行う。
【０１０２】
また、制御部１５０Ａ（モーター制御部１５４）は、モーター用電源ユニット１４５にＯＦＦ制御信号を出力する。
そして、プリンター１Ａ（制御部１５０Ａ）は、受け付けた画像形成指示に基づく動作を終了する。
【０１０３】
第２実施形態のプリンター１によれば、第１実施形態と同様な効果を奏することに加えてに、例えば、以下のような効果が奏される。
また、プリンター１Ａ（転写制御部１５３）は、帯電用電源ユニット１１０及び除電ランプ用電源ユニット１４０が同時にＯＦＦ制御された場合、転写用電源ユニット１３０から出力されるバイアス電圧値を通常の転写時におけるバイアス電圧値ＶＡよりも小さい変更バイアス電圧値ＶＢに変更させる。
これにより、通常の転写時におけるバイアス電圧値ＶＡのままでは転写電流値が高過ぎて感光体ドラム２の表面に発生しやすい逆帯電の発生を抑制できる。また、これにより、プリンター１Ａは、感光体ドラム２の表面の電圧値を安定性よく維持することが可能となる。また、これにより、プリンター１Ａは、用紙Ｔに形成される画像の品質を安定させることができる。
【０１０４】
続けて、本発明の第３実施形態について説明する。第３実施形態については、主として、第２実施形態と異なる点を中心に説明し、第１及び第２実施形態と同様な構成については、同じ符号を付し、詳細な説明を省略する。また、第３実施形態において、特に説明しない点は、第１及び第２実施形態についての説明が適宜適用される。更に、第３実施形態においても、第１及び第２実施形態と同様な効果が奏される。
【０１０５】
第３実施形態におけるプリンター１Ｂ（制御部１５０Ｂ）は、転写制御部１５３が、帯電／除電制御部１５１により帯電部１０（帯電ローラー１０１）における一方の極性の電荷の出力及び除電部１２（除電ランプ１０２）における除電動作がＯＦＦにされた場合、電流センサー７０において測定された帯電電流値に応じて、転写ローラー８において出力される他の極性の電荷の単位時間当たりの出力量を、帯電部１０における一方の極性の電荷の出力及び除電部１２における除電動作がＯＦＦになる前の出力量よりも小さく変更させる点で、第２実施形態におけるプリンター１Ａと相違する。
プリンター１Ｂは、電流センサー７０により測定された帯電電流値に応じて、変更バイアス電圧値ＶＢを設定する点で、第２実施形態におけるプリンター１Ａと相違する。
【０１０６】
図７及び図８により、第３実施形態におけるプリンター１Ｂについて説明する。
図７は、第３実施形態におけるプリンター１Ｂの制御系を説明するブロック図である。図８は、第３実施形態におけるプリンター１Ｂの作用を説明するフロー図である。
【０１０７】
図７に示すように、プリンター１Ｂは、電流センサー７０を備える。
電流センサー７０は、感光体ドラム２における帯電電流を測定する。電流センサー７０は、帯電ローラー１０１への流れ電流により感光体ドラム２における帯電電流値μＡを測定する。電流センサー７０は、帯電用電源ユニット１１０及び除電ランプ用電源ユニット１４０がＯＦＦ状態になったときの、感光体ドラム２における帯電電流を測定する。電流センサー７０は、測定した帯電電流値の情報を後述する出力値設定部１５５に出力する。
【０１０８】
また、プリンター１Ｂは、設定条件記憶部２２０を有する。
設定条件記憶部２２０は、後述する出力値設定部１５５が帯電電流値に基づいて変更バイアス電圧値ＶＢを設定するための設定条件（例えば、テーブル、表、算出式等）を記憶する。
設定条件記憶部２２０は、出力値設定部１５５に対して、上述の設定条件を出力する。
【０１０９】
また、プリンター１Ｂ（制御部１５０Ｂ）は、出力値設定部１５５を有する。
出力値設定部１５５は、電流センサー７０からの帯電電流値の情報に応じて、変更バイアス電圧値ＶＢを設定する。
具体的には、出力値設定部１５５は、設定条件記憶部２２０からの設定条件の情報に基づいて、帯電電流値に応じた変更バイアス電圧値ＶＢを設定する。
例えば、出力値設定部１５５は、電流センサー７０により測定された帯電電流値ｄμＡに応じて、適正除電転写電流値−ｄμＡが得られる変更バイアス電圧値ＶＢを設定する。
出力値設定部１５５は、電流センサー７０において測定された帯電電流値ｄμＡに応じて、除電後の感光体ドラム２における帯電電圧が０Ｖ（又は０Ｖ近傍）になるように設定された適正除電転写電流値−ｄμＡを求め、適正除電転写電流値−ｄμＡが得られる変更バイアス電圧値ＶＢを設定する。
【０１１０】
そして、転写制御部１５３は、出力値設定部１５５により、帯電電流値に応じて設定された変更バイアス電圧値ＶＢを含む制御情報を、転写バイアス変更部１３１に出力する。
転写制御部１５３は、帯電／除電制御部１５１により帯電部１０（帯電ローラー１０１）における一方の極性の電荷の出力及び除電部１２（除電ランプ１０２）における除電動作がＯＦＦにされた場合、電流センサー７０において測定された帯電電流値に応じて、転写ローラー８において出力される他の極性の電荷の単位時間当たりの出力量を、帯電部１０における一方の極性の電荷の出力及び除電部１２における除電動作がＯＦＦになる前の出力量よりも小さく変更させる。
【０１１１】
続けて、図８により、第３実施形態におけるプリンター１Ｂの作用について説明する。具体的には、帯電部１０、現像部１６、転写ローラー８、除電部１２及び感光体ドラム２のモーター２Ｍ及び、これらを制御する制御部１５０Ｂの動作について説明する。
【０１１２】
ここで、ステップＳＴ３１からステップＳＴ３４までは、第２実施形態で説明したステップＳＴ２１からステップＳＴ２４と同様であるので、説明は省略する。
【０１１３】
続けて、ステップＳＴ３５において、制御部１５０Ｂ（帯電／除電制御部１５１）は、帯電用電源ユニット１１０及び除電ランプ用電源ユニット１４０に対して、ＯＦＦ制御信号を出力する。
これにより、帯電用電源ユニット１１０及び除電ランプ用電源ユニット１４０は、同時にＯＦＦ状態になる。
ここで、帯電用電源ユニット１１０及び除電ランプ用電源ユニット１４０が同時にＯＦＦ状態になった時点で、感光体ドラム２における帯電部１０に対向する位置から転写ローラー８に対向する位置までの領域は、帯電部１０により帯電された状態である。
【０１１４】
また、帯電／除電制御部１５１は、帯電用電源ユニット１１０及び除電ランプ用電源ユニット１４０に対してＯＦＦ制御信号を出力すると、転写制御部１５３にその旨を通知する。
【０１１５】
また、制御部１５０Ｂ（現像制御部１５２）は、現像用電源ユニット１２０にＯＦＦ制御信号を出力する。
【０１１６】
続けて、ステップＳＴ３６において、制御部１５０Ｂ（出力値設定部１５５）は、電流センサー７０において測定された帯電電流値に応じて、変更バイアス電圧値ＶＢを設定する。
具体的には、出力値設定部１５５は、設定条件記憶部２２０からの設定条件の情報に基づいて、帯電電流値に応じた変更バイアス電圧値ＶＢを設定する。
上述の通り、例えば、出力値設定部１５５は、電流センサー７０により測定された帯電電流値の測定値ｄμＡに応じて、適正除電転写電流値−ｄμＡが得られる変更バイアス電圧値ＶＢを設定する。
出力値設定部１５５は、設定した変更バイアス電圧値ＶＢの情報を転写制御部１５３に出力する。
【０１１７】
続けて、ステップＳＴ３７において、制御部１５０Ｂ（転写制御部１５３）は、転写バイアス変更部１３１に、転写バイアス電圧を変更させる。
転写制御部１５３は、帯電／除電制御部１５１から上述の通知を受けると、出力ポート１５３ｂから転写バイアス変更部１３１に対し、出力値設定部１５５から取得した変更バイアス電圧値ＶＢの情報を含む制御信号を出力する。
これにより、転写制御部１５３は、転写ローラー８における転写バイアス電圧値を、転写時の転写バイアス電圧値ＶＡから変更バイアス電圧値ＶＢに変更させる。
転写ローラー８における転写バイアスの電圧値が、転写バイアス電圧値ＶＡよりも小さい変更バイアス電圧値ＶＢに変更されるので、帯電部１０により帯電された領域に対して転写ローラー８により除電処理がされた領域において、逆帯電が生じない（又は抑制される）。
また、本実施形態において、電流センサー７０において測定された帯電電流値に応じた適正なバイアス電圧値が変更バイアス電圧値として設定されるので、プリンター１Ｂは、上述の逆帯電が抑制された好適な除電を行うことができる。
【０１１８】
続けて、ステップＳＴ３８において、制御部１５０Ｂ（転写制御部１５３）は、帯電用電源ユニット１１０及び除電ランプ用電源ユニット１４０がＯＦＦ状態になってから所定時間が経過したか否かを判断する。
具体的には、転写制御部１５３は、タイマー１００からの時間情報に基づいて、帯電／除電制御部１５１から通知を受けてから所定時間が経過したか否かを判断する。
ここで、所定時間は、帯電／除電制御部１５１が帯電用電源ユニット１１０及び除電ランプ用電源ユニット１４０に対してＯＦＦ制御信号を出力したときに、帯電部１０に対向していた感光体ドラム２表面の所定領域が、転写ローラー８に対向する位置の直前の位置に移動するまでに要する時間に設定される。
【０１１９】
制御部１５０Ｂ（転写制御部１５３）は、所定時間が経過していないと判断した場合（ステップＳＴ３８、ＮＯ）、処理をステップＳＴ３８の前に戻し、引き続きタイマーからの時間情報に基づく判断を行う。
【０１２０】
制御部１５０Ｂ（転写制御部１５３）は、所定時間が経過したと判断した場合（ステップＳＴ３８、ＹＥＳ）、処理をステップＳＴ３９に進める。
【０１２１】
続けて、ステップＳＴ３９において、制御部１５０Ｂ（転写制御部１５３）は、転写用電源ユニット１３０に対して、ＯＦＦ制御信号を出力する。これにより、転写用電源ユニット１３０は、ＯＦＦ状態になる。
【０１２２】
これにより、プリンター１は、帯電用電源ユニット１１０及び除電ランプ用電源ユニット１４０が同時にＯＦＦ制御された後、転写バイアス変更部１３１に転写バイアス電圧値を小さくさせると共に、転写用電源ユニット１３０がＯＮの状態を所定時間継続することで、転写バイアスを利用して、上記帯電した領域に対する除電処理を更に好適に行う。
また、プリンター１Ｂは、電流センサー７０において測定された帯電電流値に応じて、適正なバイアス電圧値を変更バイアス電圧値として設定するので、上述の逆帯電が更に抑制された好適な除電を行うことができる。
【０１２３】
また、制御部１５０Ｂ（モーター制御部１５４）は、モーター用電源ユニット１４５にＯＦＦ制御信号を出力する。
そして、プリンター１Ｂ（制御部１５０Ａ）は、受け付けた画像形成指示に基づく動作を終了する。
【０１２４】
第３実施形態のプリンター１Ｂによれば、第１実施形態及び第２実施形態と同様な効果を奏することに加えてに、例えば、以下のような効果が奏される。
また、プリンター１Ｂ（転写制御部１５３）は、帯電用電源ユニット１１０及び除電ランプ用電源ユニット１４０が同時にＯＦＦ制御された場合、電流センサー７０において測定された帯電電流値に応じて、転写用電源ユニット１３０から出力されるバイアス電圧値を通常の転写時におけるバイアス電圧値ＶＡよりも小さい変更バイアス電圧値ＶＢに変更させる。
これにより、転写ローラー８における転写バイアスの電圧値が、転写バイアス電圧値ＶＡよりも小さい変更バイアス電圧値ＶＢに変更されるので、帯電部１０により帯電された領域に対して転写ローラー８により除電処理がされた領域において、逆帯電が生じない（又は抑制される）。
また、これにより、プリンター１Ｂは、電流センサー７０において測定された帯電電流値に応じて、適正なバイアス電圧値を変更バイアス電圧値として設定するので、上述の逆帯電が更に抑制された好適な除電を行うことができる。
【０１２５】
また、プリンター１Ｂによれば、環境変動、感光層の削れや劣化等により感光体ドラム２における帯電能が変化した場合でも、適正な除電用バイアス電圧を出力することができる。これにより、プリンター１Ｂは、感光体ドラム２の表面の電圧値を高精度に安定維持することが可能である。また、これにより、プリンター１Ｂは、用紙Ｔに形成される画像の品質をより一層安定させることができる。
【０１２６】
また、上記各実施形態において、画像形成装置としてモノクロタイプのプリンター１について説明しているが、これに限定されず、カラープリンター、コピー機、ファクシミリ及びこれらの複合機等であってもよい。
また、被転写材としては、用紙に限らず、フィルム状のシートであってもよく、また、中間転写ベルトであってもよい。
【符号の説明】
【０１２７】
１……プリンター（画像形成装置）、２……感光体ドラム（像担持体）、８……転写ローラー（転写部）、１０……帯電部、１２……除電部、１６……現像部、７０……電流センサー（測定部）、１００……タイマー、１１０……帯電用電源ユニット、１４０…除電ランプ用電源ユニット、１３０……転写用電源ユニット、１３１……転写バイアス電圧変更部、１５０……制御部、１５１……帯電／除電制御部（第１制御部）、１５３……転写制御部（第２制御部）、１５５……出力値設定部、Ｔ……用紙（被転写材）
【図１】
0005659140.tif 000002
【図２】
0005659140.tif 000003
【図３】
0005659140.tif 000004
【図４】
0005659140.tif 000005
【図５】
0005659140.tif 000006
【図６】
0005659140.tif 000007
【図７】
0005659140.tif 000008
【図８】
0005659140.tif 000009